(57)【要約】      （修正有）【課題】広い周波数帯域でインピーダンスが効果的に制御されることができるキャパシター部品を提供する。【解決手段】キャパシター部品１００は、複数の誘電体層の積層構造及び誘電体層を挟んで交互に配置された第１及び第２内部電極を含む本体１０１と、本体において、互いに対向する第１面及び第２面に形成され、第１内部電極と連結された第１外部電極１４０と、本体において、第１面と第２面とを連結し且つ互いに対向する第３面及び第４面の少なくとも一つに形成され、第２内部電極と連結された第２外部電極１５０と、を有する第１及び第２内部電極によって複数の共振周波数が発生する。【選択図】図１
2017199895.tif 000002
【特許請求の範囲】
【請求項１】
複数の誘電体層の積層構造、及び前記複数の誘電体層を挟んで交互に配置された第１及び第２内部電極を含む本体と、
前記本体において、互いに対向する第１面及び第２面に形成され、前記第１内部電極と連結された第１外部電極と、
前記本体において、前記第１面と第２面とを連結し且つ互いに対向する第３面及び第４面の少なくとも一つに形成され、前記第２内部電極と連結された第２外部電極と、を含み、
前記第１及び第２内部電極により複数の共振周波数が発生する、キャパシター部品。
【請求項２】
前記第１及び第２内部電極は、それぞれ複数の領域に分割され、隣接した異なる極性の内部電極と容量を形成する、請求項１に記載のキャパシター部品。
【請求項３】
前記第１内部電極において、前記複数の領域の少なくとも一部は互いに異なるサイズを有する、請求項２に記載のキャパシター部品。
【請求項４】
前記第２内部電極において、前記複数の領域の少なくとも一部は互いに異なるサイズを有する、請求項２または３に記載のキャパシター部品。
【請求項５】
前記第１内部電極において、前記複数の領域は、前記第１面及び第２面に露出したリードを介して前記第１外部電極と接続される、請求項２から４のいずれか一項に記載のキャパシター部品。
【請求項６】
前記第２外部電極は前記第３面及び第４面の両方に形成されており、
前記第２内部電極において、前記複数の領域の一つは、前記第３面に露出したリードを介して前記第２外部電極と接続され、他の一つは、前記第４面に露出したリードを介して前記第２外部電極と接続される、請求項２から５のいずれか一項に記載のキャパシター部品。
【請求項７】
前記第１内部電極は前記複数の領域を４つ以上備える、請求項２から６のいずれか一項に記載のキャパシター部品。
【請求項８】
前記第１及び第２内部電極は、互いに異なる共振周波数を有する複数のキャパシター部に区分され、
前記第１内部電極は、前記第１面及び第２面に露出したリードを介して前記第１外部電極と接続され、互いに異なるキャパシター部に含まれたもの同士は、前記リードの位置が互いに異なる形態である、請求項１から７のいずれか一項に記載のキャパシター部品。
【請求項９】
前記第２外部電極は前記第３面及び第４面の両方に形成されており、
前記第２内部電極は、前記第３面または第４面に露出したリードを介して前記第２外部電極と接続され、互いに異なるキャパシター部に含まれたもの同士は、前記リードの位置が互いに異なる形態である、請求項８に記載のキャパシター部品。
【請求項１０】
前記第１面と前記第３面は互いに垂直に配置される、請求項１から９のいずれか一項に記載のキャパシター部品。
【請求項１１】
前記本体には、前記キャパシター部品の実装方向を表示するマーキング部が備えられる、請求項１から１０のいずれか一項に記載のキャパシター部品。
【請求項１２】
前記マーキング部は、前記本体の他の領域とは異なる材質のセラミックからなる、請求項１１に記載のキャパシター部品。
【請求項１３】
前記第１及び第２内部電極は前記第３面に垂直に配置される、請求項１から１２のいずれか一項に記載のキャパシター部品。
【請求項１４】
複数の誘電体層の積層構造、及び前記複数の誘電体層を挟んで交互に配置された第１及び第２内部電極を含む本体と、
前記本体において、互いに対向する第１面及び第２面、及び前記第１面と第２面とを連結し且つ互いに対向する第３面及び第４面に形成され、前記第１内部電極と連結された第１外部電極と、
前記第３面及び第４面において、前記第１外部電極の間に形成され、前記第２内部電極と連結された第２外部電極と、を含み、
前記第１及び第２内部電極によってそれぞれ複数の領域に分割され、隣接した異なる極性の内部電極と容量を形成する、キャパシター部品。
【請求項１５】
前記第１内部電極において、前記複数の領域の一つは、前記第３面に露出したリードを介して前記第１外部電極と接続され、他の一つは、前記第４面に露出したリードを介して前記第１外部電極と接続される、請求項１４に記載のキャパシター部品。
【請求項１６】
前記第２内部電極において、前記複数の領域の一つは、前記第３面に露出したリードを介して前記第２外部電極と接続され、他の一つは、前記第４面に露出したリードを介して前記第２外部電極と接続される、請求項１４または１５に記載のキャパシター部品。
【発明の詳細な説明】
【技術分野】
【０００１】
本発明は、キャパシター部品に関するものである。
【背景技術】
【０００２】
キャパシター部品の一つである積層セラミックキャパシターは、液晶ディスプレイ（ＬＣＤ：Ｌｉｑｕｉｄ  Ｃｒｙｓｔａｌ  Ｄｉｓｐｌａｙ）及びプラズマディスプレイパネル（ＰＤＰ：Ｐｌａｓｍａ  Ｄｉｓｐｌａｙ  Ｐａｎｅｌ）などの映像機器、コンピューター、スマートフォン、及び携帯電話などの種々の電子製品の印刷回路基板に取り付けられ、電気を充電または放電させる役割を担うチップ形態のコンデンサーである。
【０００３】
かかる積層セラミックキャパシター（ＭＬＣＣ：Ｍｕｌｔｉ−Ｌａｙｅｒｅｄ  Ｃｅｒａｍｉｃ  Ｃａｐａｃｉｔｏｒ）は、小型でありながら高容量が保障され、実装が容易であるという利点を有するため、種々の電子装置の部品として用いられることができる。
【０００４】
特に、コンピューターなどの中央処理装置（ＣＰＵ）のための電源供給装置は、低い電圧を提供する過程で、負荷電流の急激な変化による電圧ノイズが発生するという問題がある。このような電圧ノイズを抑制するためのデカップリングキャパシターの用途に、ＭＬＣＣが電源供給装置に広く用いられている。デカップリングなどの用途に用いられるＭＬＣＣにおいて、広い帯域でインピーダンスを低減しようとする試みが行われてきた。
【発明の概要】
【発明が解決しようとする課題】
【０００５】
本発明の一目的は、複数の共振周波数を有することで、広い周波数帯域でインピーダンスが効果的に制御されることができるキャパシター部品を提供することにある。また、本発明の他の目的は、かかるキャパシター部品を有することで、部品のサイズなどを減少させることにある。
【課題を解決するための手段】
【０００６】
上述の課題を解決するための方法として、本発明は、一実施形態により新たなキャパシター部品を提案し、具体的に、複数の誘電体層の積層構造、及び上記誘電体層を挟んで交互に配置された第１及び第２内部電極を含む本体と、上記本体において、互いに対向する第１面及び第２面に形成され、上記第１内部電極と連結された第１外部電極と、上記本体において、上記第１面と第２面とを連結し且つ互いに対向する第３面及び第４面の少なくとも一つに形成され、上記第２内部電極と連結された第２外部電極と、を含み、上記第１及び第２内部電極により複数の共振周波数が発生する形態を有する。
【０００７】
一実施形態において、上記第１及び第２内部電極は、それぞれ複数の領域に分割され、隣接した異なる極性の内部電極と容量を形成することができる。
【０００８】
一実施形態において、上記第１内部電極において、上記複数の領域の少なくとも一部は互いに異なるサイズを有することができる。
【０００９】
一実施形態において、上記第２内部電極において、上記複数の領域の少なくとも一部は互いに異なるサイズを有することができる。
【００１０】
一実施形態において、上記第１内部電極において、上記複数の領域は、上記第１面及び第２面に露出したリードを介して上記第１外部電極と接続されることができる。
【００１１】
一実施形態において、上記第２外部電極は上記第３面及び第４面の両方に形成されており、上記第２内部電極において、上記複数の領域の一つは、上記第３面に露出したリードを介して上記第２外部電極と接続され、他の一つは、上記第４面に露出したリードを介して上記第２外部電極と接続されることができる。
【００１２】
一実施形態において、上記第１内部電極は上記複数の領域を４つ以上備えることができる。
【００１３】
一実施形態において、上記第１及び第２内部電極は、互いに異なる共振周波数を有する複数のキャパシター部に区分され、上記第１内部電極は、上記第１面及び第２面に露出したリードを介して上記第１外部電極と接続され、互いに異なるキャパシター部に含まれたもの同士は、上記リードの位置が互いに異なる形態であることができる。
【００１４】
一実施形態において、上記第２外部電極は上記第３面及び第４面の両方に形成されており、上記第２内部電極は、上記第３面または第４面に露出したリードを介して上記第２外部電極と接続され、互いに異なるキャパシター部に含まれたもの同士は、上記リードの位置が互いに異なる形態であることができる。
【００１５】
一実施形態において、上記第１面と上記第３面は互いに垂直に配置されることができる。
【００１６】
一実施形態において、上記本体には、上記キャパシター部品の実装方向を表示するマーキング部が備えられることができる。
【００１７】
一実施形態において、上記マーキング部は、上記本体の他の領域とは異なる材質のセラミックからなることができる。
【００１８】
一実施形態において、上記第１及び第２内部電極は上記第３面に垂直に配置されることができる。
【００１９】
一方、本発明の他の実施形態では、複数の誘電体層の積層構造、及び上記誘電体層を挟んで交互に配置された第１及び第２内部電極を含む本体と、上記本体において、互いに対向する第１面及び第２面、及び上記第１面と第２面とを連結し且つ互いに対向する第３面及び第４面に形成され、上記第１内部電極と連結された第１外部電極と、上記第３面及び第４面において、上記第１外部電極の間に形成され、上記第２内部電極と連結された第２外部電極と、を含み、上記第１及び第２内部電極によってそれぞれ複数の領域に分割され、隣接した異なる極性の内部電極と容量を形成するキャパシター部品を提供する。
【００２０】
一実施形態において、上記第１内部電極において、上記複数の領域の一つは、上記第３面に露出したリードを介して上記第１外部電極と接続され、他の一つは、上記第４面に露出したリードを介して上記第１外部電極と接続されることができる。
【００２１】
一実施形態において、上記第２内部電極において、上記複数の領域の一つは、上記第３面に露出したリードを介して上記第２外部電極と接続され、他の一つは、上記第４面に露出したリードを介して上記第２外部電極と接続されることができる。
【発明の効果】
【００２２】
本発明の様々な効果の一効果は、広い周波数帯域でノイズを効果的に除去することができる、インピーダンス低減型キャパシター部品を得ることができる。
【図面の簡単な説明】
【００２３】
【図１】本発明の一実施形態によるキャパシター部品を概略的に示した斜視図である。
【図２】図１のキャパシター部品における本体の形態を概略的に示した斜視図である。
【図３】図１のキャパシター部品における第１内部電極の形態を概略的に示した平面図である。
【図４】図１のキャパシター部品における第２内部電極の形態を概略的に示した平面図である。
【図５】本発明により得られたキャパシター部品のインピーダンス特性を示したグラフである。
【図６】図１の実施形態の変形例によるキャパシター部品及びこれに採用され得る本体、内部電極、外部電極などを示す。
【図７】本発明のキャパシター部品が基板に実装された形態を示す。
【図８】図１の実施形態の変形例によるキャパシター部品及びこれに採用され得る本体、内部電極、外部電極などを示す。
【図９】図１の実施形態の変形例によるキャパシター部品及びこれに採用され得る本体、内部電極、外部電極などを示す。
【図１０】図１の実施形態の変形例によるキャパシター部品及びこれに採用され得る本体、内部電極、外部電極などを示す。
【図１１】図１の実施形態の変形例によるキャパシター部品及びこれに採用され得る本体、内部電極、外部電極などを示す。
【図１２】図１の実施形態の変形例によるキャパシター部品及びこれに採用され得る本体、内部電極、外部電極などを示す。
【図１３】本発明の他の実施形態によるキャパシター部品を概略的に示した斜視図である。
【図１４】図１３のキャパシター部品における第１内部電極の形態を概略的に示した平面図である。
【図１５】図１３のキャパシター部品における第２内部電極の形態を概略的に示した平面図である。
【発明を実施するための形態】
【００２４】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００２５】
また、本発明を明確に説明すべく、図面において説明と関係ない部分は省略し、様々な層及び領域を明確に表現するために厚さを拡大して示し、同一思想の範囲内において機能が同一である構成要素に対しては同一の参照符号を用いて説明する。さらに、明細書全体において、ある構成要素を「含む」というのは、特に反対である記載がない限り、他の構成要素を除外するのではなく、他の構成要素をさらに含むことができることを意味する。
【００２６】
図１は本発明の一実施形態によるキャパシター部品を概略的に示した斜視図である。図２は図１のキャパシター部品における本体の形態を概略的に示した斜視図である。図３及び図４はそれぞれ、図１のキャパシター部品における第１及び第２内部電極の形態を概略的に示した平面図である。また、図５は本発明により得られたキャパシター部品のインピーダンス特性を示したグラフである。
【００２７】
図１〜図４を参照すると、本発明の一実施形態によるキャパシター部品１００は、本体１０１と、第１及び第２内部電極１２０、１３０と、第１及び第２外部電極１４０、１５０と、を含み、第１及び第２内部電極１２０、１３０が複数の領域に分割された形態を有することで、複数の共振周波数が発生することができる。この際、第１外部電極１４０は、本体１０１において互いに対向する第１面Ｓ１及び第２面Ｓ２に形成され、第１内部電極１２０と連結される。この際、第１面Ｓ１と第３面Ｓ３は互いに垂直に配置されることができる。これにより、本体１０１は、直方体またはこれと類似の形状を有することができる。
【００２８】
第２外部電極１５０は、本体１０１において、第１面Ｓ１と第２面Ｓ２とを連結し且つ互いに対向する第３面Ｓ３及び第４面Ｓ４に形成され、第２内部電極１３０と連結される。但し、第２外部電極１５０は、第３面Ｓ３及び第４面Ｓ４の何れか一つにのみ形成されてもよい。本実施形態では、第２外部電極１５０が第３面Ｓ３と第４面Ｓ４に形成されたことを基準として説明し、それぞれ１５１と１５２で示す。
【００２９】
本体１０１は、複数の誘電体層１１０が積層された積層構造、及び誘電体層１１０を挟んで交互に配置された第１及び第２内部電極１２０、１３０を含む。本体１０１に含まれた誘電体層１１０としては、当業界において公知のセラミックなどの誘電物質を用いることができ、例えば、ＢａＴｉＯ３（チタン酸バリウム）系セラミック粉末などを含むことができる。ここで、上記ＢａＴｉＯ３系セラミック粉末は、例えば、ＢａＴｉＯ３にＣａ（カルシウム）、Ｚｒ（ジルコニウム）などが一部固溶した（Ｂａ１−ｘＣａｘ）ＴｉＯ３、Ｂａ（Ｔｉ１−ｙＣａｙ）Ｏ３、（Ｂａ１−ｘＣａｘ）（Ｔｉ１−ｙＺｒｙ）Ｏ３またはＢａ（Ｔｉ１−ｙＺｒｙ）Ｏ３などが挙げられるが、本発明がこれに限定されるものではない。
【００３０】
図３及び図４に示された形態のように、第１内部電極１２０と第２内部電極１３０はそれぞれ複数の領域に分割され、隣接した異なる極性の内部電極と容量を形成する。これにより、一つのキャパシター部品１００で複数（本実施形態では２つ）の共振周波数を実現することができる。具体的に、本実施形態では、第１内部電極１２０は２つの領域１２１、１２２に分けられ、互いに異なるサイズを有することができる。このように互いに異なるサイズを有する領域１２１、１２２により互いに異なる容量が実現されることで、２つのキャパシターが並列連結された形態が得られる。ここで、本実施形態では２つの領域１２１、１２２のサイズが互いに異なる形態を有しているが、３つ以上の場合には、少なくとも一部の領域（２つ以上）が互いに異なるサイズを有すればよい。同様に、第２内部電極１３０は２つの領域１３１、１３２に分けられ、互いに異なるサイズを有することができる。
【００３１】
本実施形態において、第１及び第２内部電極１２０、１３０は、外部電極１４０、１５０と連結されるリードの方向などが互いに異なる。具体的に、図３に示された形態のように、第１内部電極１２０において分割された複数の領域１２１、１２２は、第１面Ｓ１及び第２面Ｓ２に露出したリードＲ１、Ｒ２、Ｒ３、Ｒ４を介して第１外部電極１４０と接続される。また、図４に示された形態のように、第２内部電極１３０において、複数の領域１３１、１３２の一つ１３１は、第３面Ｓ３に露出したリードＲ５を介して第２外部電極１５１と接続され、他の一つ１３２は、第４面Ｓ４に露出したリードＲ６を介して第２外部電極１５２と接続される。このように、第１及び第２内部電極１２０、１３０のリードＲ１〜Ｒ６が互いに異なる方向に配置されることで、２つのキャパシターの並列連結構造が効果的に実現されることができる。
【００３２】
すなわち、図５のインピーダンス特性グラフに示されたように、本実施形態によるキャパシター部品１００は、単一部品内で互いに異なる共振周波数を有する２種のキャパシターが含まれた構造であって、広い周波数帯域でインピーダンスを低く維持することができる。したがって、かかるキャパシター部品１００を用いることで、電源装置や高速ＭＰＵなどに用いられるデカップリングキャパシターの数を減少させることができ、デカップリングキャパシターの実装コストや空間を効果的に低減することができる。
【００３３】
図６、図８〜図１２は、図１の実施形態の変形例によるキャパシター部品及びこれに採用され得る本体、内部電極、外部電極などを示す。図７は本発明のキャパシター部品が基板に実装された形態を示す。図７の実装構造は、図６のキャパシター部品を実装した形態を示しているが、他の実施形態のキャパシター部品も同一の方式で実装することができる。
【００３４】
図６の実施形態は、第２外部電極１５０の形態のみが上述の実施形態と異なる。具体的に、第２外部電極１５０において、第３面Ｓ３に形成された第２外部電極１５１と第４面Ｓ４に形成された第２外部電極１５２とを連結する連結部１５３が提供される。連結部１５３により、信号端子と接地端子との間に形成される電流ループ（ｃｕｒｒｅｎｔ  ｌｏｏｐ）がより容易に形成されることができる。
【００３５】
次に、図７のキャパシター部品の実装構造を説明する。実装基板１６０上には回路パターン１６１が形成されており、キャパシター部品の実装のために半田１６２が提供されることができる。この際、キャパシター部品は、垂直実装方式、すなわち、第１及び第２内部電極（図３の１２０、１３０）が実装面（第３面に平行な面）に垂直に配置された形態である。このような垂直実装方式により、内部電極１２０、１３０のリードが実装面に近く配置されることができるため、等価直列インダクタンス（ＥＳＬ）とインピーダンスを低減することができる。
【００３６】
一方、図８の変形例のように、キャパシター部品の本体１０１'はキャパシター部品の実装方向を表示するマーキング部Ｍを備えることができ、このマーキング部Ｍは、本体１０１'における他の領域とは異なる材質のセラミックからなることができる。
【００３７】
次に、図９及び図１０を参照して、変形例に採用され得る内部電極の形態を説明する。この変形例によると、上述の実施形態と異なって、さらに多数の共振周波数（４つ）を実現することができる。そのために、図９に示された形態のように、第１内部電極１２０は４つ（またはそれより多数）に分割された領域１２１、１２２、１２３、１２４を備えることができる。この際、第２内部電極１３０は、第１内部電極と同様に４つ以上に分割されてもよいが、図１０に示された形態のように２つに分割された領域１３１、１３２を備える場合にも、隣接した第１内部電極と結合して４つの共振周波数を得ることができる。
【００３８】
次に、図１１及び図１２を参照して、さらに他の変形例を説明する。上述の実施形態では、複数の共振周波数を得るために内部電極を複数の領域に分割したが、本実施形態ではこのような分割構造を用いずに複数の共振周波数を実現するようにした。具体的に、本実施形態は、第１内部電極２２０が、第１面Ｓ１に露出したリードＲ１、Ｒ３及び第２面Ｓ２に露出したリードＲ２、Ｒ４を介して第１外部電極１４０と接続されており、互いに異なる層に位置する第１内部電極２２１、２２２同士は、そのリードＲ１、Ｒ２、Ｒ３、Ｒ４の位置が互いに異なる形態である。すなわち、積層方向を基準としたときに、第１内部電極２２１のリードＲ１と、第１内部電極２２２のリードＲ３とは、互いに重ならないように配列される。同様に、第２面Ｓ２に引き出された第１内部電極２２０のリードＲ２、Ｒ４も、積層方向に互いに重ならないように配列される。
【００３９】
第２内部電極２３０は、互いに異なる層に位置するもののリードＲ５、Ｒ６が互いに異なる方向に引き出される。すなわち、第２内部電極２３１は、第３面Ｓ３に露出したリードＲ５を介して第２外部電極１５１と接続され、第２内部電極２３２は、第４面Ｓ４に露出したリードＲ６を介して第２外部電極１５２と接続される。
【００４０】
第１及び第２内部電極２２０、２３０は、図１２に示された形態を有するとともに、図１１に示された形態のように第１及び第２キャパシター部Ｃ１、Ｃ２を成し、これらはリードが配置された位置が互いに異なる。すなわち、第１及び第２内部電極２２０、２３０は、互いに異なる共振周波数を有する複数のキャパシター部Ｃ１、Ｃ２に区分され、互いに異なるキャパシター部Ｃ１、Ｃ２に含まれた内部電極は、同一極性のもののリードが互いに異なる位置に配置される。
【００４１】
これについて具体的に説明すると、第１内部電極２２１と第２内部電極２３１が交互に配置されて第１キャパシター部Ｃ１を成し、この際、第１キャパシター部Ｃ１は第２キャパシター部Ｃ２と離隔されている。また、第１内部電極２２２と第２内部電極２３２が交互に配置されて第２キャパシター部Ｃ２を成し、第１キャパシター部Ｃ１とは電流経路（ｃｕｒｒｅｎｔ  ｐａｔｈ）が異なる。このような構造により、第１及び第２キャパシター部Ｃ１、Ｃ２は互いに異なるキャパシターとして機能することができ、一つのキャパシター部品で２つの共振周波数が効果的に実現されることができる。
【００４２】
図１３〜１５を参照して、本発明の他の実施形態を説明する。図１３は本発明の他の実施形態によるキャパシター部品を概略的に示した斜視図である。図１４及び図１５はそれぞれ、図１３のキャパシター部品における第１及び第２内部電極の形態を概略的に示した平面図である。
【００４３】
本実施形態では、キャパシター部品３００は、複数の誘電体層３１０と第１及び第２内部電極３２０、３３０を含む本体３０１と、本体３０１の外部に形成された第１及び第２外部電極３４０、３５０と、を含み、第１及び第２内部電極３２０、３３０はそれぞれ複数の領域に分割され、隣接した異なる極性の内部電極と容量を形成する。この際、図１３に示された形態のように、第１外部電極３４０は、本体３０１において、互いに対向する第１面Ｓ１及び第２面Ｓ２、及びこれら第１面Ｓ１と第２面Ｓ２とを連結し且つ互いに対向する第３面Ｓ３及び第４面Ｓ４に形成される。ここで、第１面Ｓ１に形成されたものを第１外部電極３４１と、第２面Ｓ２に形成されたものを第１外部電極３４２と示す。
【００４４】
また、第２外部電極３５０は、第３面Ｓ３及び第４面Ｓ４で第１外部電極３４０の間に形成され、第２内部電極３３０と連結される。図１３では、第２外部電極３５０が第３面Ｓ３に形成された第２外部電極３５１と第４面Ｓ４に形成された第２外部電極３５２の両方を含む形態であるが、これらのうち一つのみが備えられてもよい。第２外部電極３５０が第３面Ｓ３と第４面Ｓ４の両方に形成される場合、上述の実施形態のようにこれらを連結する連結部３５３が備えられることができる。
【００４５】
本実施形態は、複数の共振周波数を実現するために、第１及び第２内部電極３２０、３３０がそれぞれ複数の分割領域を含み、リードが引き出された形態が上述の実施形態と異なる。具体的に、図１４に示された形態のように、第１内部電極３２０において、複数の領域のうちの一つの領域３２１は、第３面Ｓ３に露出したリードＲ１、Ｒ２を介して第１外部電極３４０と接続され、この際、リードＲ１、Ｒ２は２つ備えられることができる。また、第１内部電極３２０の複数の分割領域のうちの他の一つの領域３２２は、第４面Ｓ４に露出したリードＲ３、Ｒ４を介して第１外部電極３４０と接続され、リードＲ３、Ｒ４は２つ備えられることができる。
【００４６】
そして、図１５に示された形態のように、第２内部電極３３０において、複数の領域のうちの一つの領域３３１は、第３面Ｓ３に露出したリードＲ５を介して第２外部電極３５０と接続される。より具体的に、第２外部電極３５０のうち第３面Ｓ３に形成された第２外部電極３５１と接続される。リードＲ５は１つ備えられ、第１内部電極３２０のリードＲ１、Ｒ２の間に配置されることができる。また、第２内部電極３３０の複数の分割領域のうちの他の一つの領域３３２は、第４面Ｓ４に露出したリードＲ６を介して第２外部電極３５０と接続される。より具体的に、第２外部電極３５０のうち第４面Ｓ４に形成された第２外部電極３５２と接続される。リードＲ６は１つ備えられ、第１内部電極３２０のリードＲ３、Ｒ４の間に配置されることができる。
【００４７】
本実施形態のような内部電極３２０、３３０の分割構造及びリードＲ１〜Ｒ６の引き出し方式によっても、複数の共振周波数が効果的に実現されることができる。また、図１４及び図１５の実施形態は、互いに隣接した内部電極３２０、３３０におけるリードＲ１〜Ｒ６の間の間隔が減少することにより、ＥＳＬが低減することができる。
【００４８】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００４９】
１００、３００  キャパシター部品
１０１、１０１'、３０１  本体
１１０、３１０  誘電体層
１２０、１３０、２２０、２３０、３２０、３３０  内部電極
１２１、１２２、１２３、１２４、１３１、１３２、３２１、３２２、３３１、３３２  内部電極の分割領域
１４０、１５０、３４０、３５０  外部電極
３４１、３４２  第１外部電極
１５１、１５２、３５１、３５２  第２外部電極
１５３、３５３  連結部
１６０  実装基板
１６１  回路パターン
１６２  半田
２２１、２２２  第１内部電極
２３１、２３２  第２内部電極
Ｒ１、Ｒ２、Ｒ３、Ｒ４、Ｒ５、Ｒ６  リード
Ｍ  マーキング部
Ｓ１、Ｓ２、Ｓ３、Ｓ４  第１面、第２面、第３面、第４面
【図１】
2017199895.tif 000003
【図２】
2017199895.tif 000004
【図３】
2017199895.tif 000005
【図４】
2017199895.tif 000006
【図５】
2017199895.tif 000007
【図６】
2017199895.tif 000008
【図７】
2017199895.tif 000009
【図８】
2017199895.tif 000010
【図９】
2017199895.tif 000011
【図１０】
2017199895.tif 000012
【図１１】
2017199895.tif 000013
【図１２】
2017199895.tif 000014
【図１３】
2017199895.tif 000015
【図１４】
2017199895.tif 000016
【図１５】
2017199895.tif 000017